(57)【要約】      （修正有）【課題】剥離剤を使用せず開封容易な容器を可能にする紙容器シール装置を提供する。【解決手段】内外面に熱可塑性樹脂層を積層した積層材料の容器の頂部の加熱すべき部分に熱風を吹き付けて、前記熱可塑性樹脂層を加熱・圧着して接着すると共に、該容器の底部または頂部のフィンを超音波で密封する紙容器シール装置３であって、容器１外面を加熱する外面加熱ヒータ９が、加熱すべき部分に対向して熱風噴射ノズル５を有し、超音波シール手段が、容器内面のシールすべき部分を該フィンを外側から挟持してシールする。【選択図】図１
2005162296.tif 000002
【特許請求の範囲】
【請求項１】
内外面に熱可塑性樹脂層を積層した積層材料の容器の、底部または頂部の加熱すべき部分に熱風を吹き付けて、前記熱可塑性樹脂層を加熱・圧着して接着すると共に、該容器の底部または頂部のフィンを超音波で密封する紙容器シール装置であって、
容器外面を加熱する外面加熱ヒータが、加熱すべき部分に対向して熱風噴射ノズルを有し、超音波シール手段が、容器内面のシールすべき部分を該フィンを外側から挟持してシールすることを特徴とするシール装置。
【請求項２】
内外面に熱可塑性樹脂層を積層した積層材料の容器の、底部または頂部の加熱すべき部分に熱風を吹き付けて、前記熱可塑性樹脂層を加熱・圧着して接着すると共に、該容器の底部または頂部のフィンを超音波で密封する紙容器シール装置でシールされる紙容器用包装材料あって、
該容器の底部または頂部の器壁を形成する包装材料パネルに隣接した、該底部または頂部のフィンを形成するフィンパネルを有し、
フィンパネルが、熱風加熱すべき部分に対応する第１フィンパネルと、その他の第２フィンパネルとからなり、第１フィンパネルの高さが、第２フィンパネルより低く、
第１フィンパネル両側から延長しかつ第２フィンパネル両縁から延長する第３フィンパネルを有することを特徴とする紙容器用包装材料。
【発明の詳細な説明】
【技術分野】
【０００１】
本発明は、ジュース等飲料の液体紙容器の包装充填に用いるシール装置及び紙容器用包装材料に関する。
【背景技術】
【０００２】
内外面に熱可塑性樹脂層を設けた紙積層材料からなる筒状体容器の底部、頂部の密封は、熱風を密封部分に吹きつけて、熱可塑性樹脂層を軟化／溶融して圧着し、密封して図９に示すような屋根型紙容器７１を得る。その紙容器７１の頂部の密封は、図６に示すように、紙容器５０のシール用加熱装置５１を用いる。加熱装置５１は、内面加熱ヒータ５２と外面加熱ヒータ５３、５３とからなる。それぞれ側面に熱風を吹き出すための円形又はスリット状の小孔５４を多数配置したパターンからなる。液体紙容器の加熱すべき部分に熱風を吹きつけて、熱可塑性樹脂層を加熱溶融し、圧着する。
【０００３】
加熱装置の内面加熱ヒータ５２と外面加熱ヒータ５３、５３とは、図７に示すように、紙容器５０の密封する底部や頂部を仮折りした状態と相似形をしている。仮折りした密封部分を均一に加熱溶融するため、隅部には、吹きつける熱風の量が他の部分より多くするため、熱風を吹き出す小孔熱風噴射ノズルの数を他の部分より多くしたり、スリット状に熱風噴射ノズルを設けたりしている。
【特許文献１】特開平１０−１０１００３号公報
【特許文献２】特開平１０−５３２０４号公報
【０００４】
屋根型容器は、密封された頂部を開封して使用される。一般的に開封し易くするために開封箇所内面に剥離剤が塗布されている。図８の容器展開図に示すように、パネル２に隣接する第１フィンパネル８１外面（開封口外側）の加熱すべき部分２ａに対向する熱風噴射ノズルからの熱風により、しかも、他の第２フィンパネル８２の加熱すべき部分に対向する熱風噴射ノズルからの熱風による雰囲気の中で、パネル２に隣接する第１フィンパネル８１内面（開封口内側）の加熱忌避部分２bが、熱伝導により加熱され、次工程の頂部密封において、加熱忌避部分２bが接着する。剥離剤が塗布されていないと、開封しづらくなるからである。
【発明の開示】
【発明が解決しようとする課題】
【０００５】
剥離剤は食品と間接若しくは直接に接触する可能性があるために、剥離剤を使用せず開封容易な容器が望まれている。
本発明の目的は、剥離剤を使用せず開封容易な容器を可能にするシール装置及び紙容器用包装材料を提供することである。
【課題を解決するための手段】
【０００６】
本発明のシール装置は、内外面に熱可塑性樹脂層を積層した積層材料の容器の、底部または頂部の加熱すべき部分に熱風を吹き付けて、前記熱可塑性樹脂層を加熱・圧着して接着すると共に、該容器の底部または頂部のフィンを超音波で密封する紙容器シール装置であって、
容器外面を加熱する外面加熱ヒータが、加熱すべき部分に対向して熱風噴射ノズルを有し、超音波シール手段が、容器内面のシールすべき部分を該フィンを外側から挟持してシールすることを特徴とする。
【０００７】
この発明の紙容器用包装材料は、内外面に熱可塑性樹脂層を積層した積層材料の容器の、底部または頂部の加熱すべき部分に熱風を吹き付けて、前記熱可塑性樹脂層を加熱・圧着して接着すると共に、該容器の底部または頂部のフィンを超音波で密封する紙容器シール装置でシールされる紙容器用包装材料あって、
該容器の底部または頂部の器壁を形成する包装材料パネルに隣接した、該底部または頂部のフィンを形成するフィンパネルを有し、
フィンパネルが、熱風加熱すべき部分に対応する第１フィンパネルと、その他の第２フィンパネルとからなり、第１フィンパネルの高さが、第２フィンパネルより低く、
第１フィンパネル両側から延長しかつ第２フィンパネル両縁から延長する第３フィンパネルを有することを特徴とする。
【発明の効果】
【０００８】
パネル２に隣接する第１フィンパネル８１外面（開封口外側）の加熱すべき部分に対向する熱風噴射ノズルからの熱風により、加熱すべき部分が加熱される。パネル２に隣接する第１フィンパネル８１内面（開封口内側）の加熱忌避部分には、従来の加熱装置の内面加熱ヒータ５２が無く、容器内面側に熱雰囲気が無いので、加熱忌避部分のポリエチレン等の熱可塑性樹脂層が軟化／溶融しない。次工程の頂部密封では、超音波シールされ、加熱忌避部分２bが接着することがない。
【０００９】
剥離剤が塗布されていなくとも、開封しづらくなることがない。剥離剤を使用すれは、剥離剤が食品と間接若しくは直接に接触するが、そのような可能性も無い。
剥離剤を使用せず開封容易な容器を可能にするシール装置及び紙容器用包装材料を提供することができる。
【発明を実施するための最良の形態】
【００１０】
以下、本発明の実施の形態について図面を参照しながら詳細に説明する。
図１に、本発明の実施の形態の斜視概略図を示す。
この形態のシール装置は、内外面に熱可塑性樹脂層を積層した積層材料の筒状体容器１の、頂部２の加熱すべき部分に熱風を吹き付けて、熱可塑性樹脂層を加熱・圧着して接着すると共に、該容器の底部または頂部のフィンを超音波で密封する紙容器シール装置３であって、容器外面を加熱する外面加熱ヒータ９が、加熱すべき部分に対向して熱風噴射ノズル５を備える。
超音波シール手段が、容器内面のシールすべき部分を該フィンを外側から挟持してシールする。
【００１１】
この形態のシール装置３を使用して、内外面に熱可塑性樹脂層を設けた紙積層材料からなる筒状体の頂部を密封する。図２に装置の一部断面図を示す。装置３の外面加熱ヒータ５３は、密封する頂部５０を仮折りした状態と相似形をしている。仮折りした密封部分を均一に加熱溶融するため、加熱すべき部分に対向して熱風噴射ノズルから、熱風を吹きつける。
熱風を密封部分に吹きつけて、熱可塑性樹脂層を軟化／溶融して圧着し、密封して図７に示すような屋根型紙容器７１を得る。
【００１２】
図３に、内側の容器展開図（ａ）及び外側の容器展開図（ｂ）に示す。容器頂部の斜線部分が、加熱すべき部分に対応する。容器外面を加熱する外面加熱ヒータ９が、容器外面の斜線部分を選択的に加熱する。
超音波シール手段（図示せず）が、容器内面のシールすべき部分をフィンを外側から挟持してシールする。シール帯域８４は、第２フィンパネル８２と、第１フィンパネル８１両側から延長しかつ第２フィンパネル８２両縁から延長する第３フィンパネル８３とに形成される。
【００１３】
パネル２に隣接する第１フィンパネル８１内面（開封口内側）の加熱忌避部分には、従来の加熱装置の内面加熱ヒータ５２が無く、容器内面側に熱雰囲気が無いので、加熱忌避部分のポリエチレン等の熱可塑性樹脂層が軟化／溶融しない。次工程の頂部密封では、超音波シールされ、超音波シール帯域８４が形成され、逆に、加熱忌避部分２bが接着することがない。
【００１４】
この形態のシール装置を使用して得られた紙容器の頂部を、図４に示す。容器７１の頂部は、加熱すべき部分への熱風吹き付けと、頂部のフィン４２の超音波密封によって得られる。超音波密封によるシール帯域８４が形成される。
図５に、頂部のフィン４２の断面図を示す。第１フィンパネル８１両側から延長しかつ第２フィンパネル８２両縁から延長する第３フィンパネル８３が、図５に示すように折り込まれる。
【００１５】
なお、本発明は前記実施の形態に限定されるものではなく、本発明の趣旨に基づいて種々変形させることが可能であり、それらを本発明の範囲から排除するものではない。
【産業上の利用可能性】
【００１６】
この発明のシール装置及び紙容器用包装材料は、牛乳、ジュース、ミネラルウォーターなどの飲料、流動食品などの包装容器の製造に利用することができる。
【図面の簡単な説明】
【００１７】
【図１】本発明の実施形態の紙容器シール装置の斜視概略図
【図２】本発明の実施形態の紙容器シール装置の概略断面図
【図３】包装材料の展開図
【図４】本発明の実施例の容器頂部の斜視図
【図５】本発明の実施例の容器頂部の断面図
【図６】従来の紙容器シール用加熱装置の斜視概略図
【図７】従来の紙容器シール用加熱装置の概略断面図
【図８】従来の包装材料の展開図
【図９】本発明の実施例に使用できる容器の斜視図
【符号の説明】
【００１８】
１  容器
５  熱風噴射ノズル
９  外面加熱ヒータ
【図１】
2005162296.tif 000003
【図２】
2005162296.tif 000004
【図３】
2005162296.tif 000005
【図４】
2005162296.tif 000006
【図５】
2005162296.tif 000007
【図６】
2005162296.tif 000008
【図７】
2005162296.tif 000009
【図８】
2005162296.tif 000010
【図９】
2005162296.tif 000011